(57)【要約】【課題】電子メールの宛先の登録を簡略化すること。【解決手段】情報処理装置は、電子メールを受信する受信部と、該受信部で受信した電子メールに含まれるメールアドレスを抽出するメールアドレス抽出部と、所定の操作が行われた場合、該メールアドレス抽出部で抽出されたメールアドレスを宛先として、ファイルを添付した電子メールを送信する送信部とを有する。【選択図】図２
2014106843.tif 000002
【特許請求の範囲】
【請求項１】
電子メールを受信する受信部と、
該受信部で受信した電子メールに含まれるメールアドレスを抽出するメールアドレス抽出部と、
所定の操作が行われた場合、該メールアドレス抽出部で抽出されたメールアドレスを宛先として、ファイルを添付した電子メールを送信する送信部と
を有する、情報処理装置。
【請求項２】
固有情報を生成する固有情報生成部
を有し、
前記メールアドレス抽出部は、前記固有情報生成部で生成した固有情報を含む電子メールに含まれるメールアドレスを抽出する、請求項１に記載の情報処理装置。
【請求項３】
前記送信部は、前記情報処理装置の利用が終了したことにより、前記メールアドレス抽出部で抽出されたメールアドレスを宛先として、ファイルを添付した電子メールを送信する、請求項１又は２に記載の情報処理装置。
【請求項４】
前記送信部は、画像処理装置から取得される画像を添付した電子メールを送信する、請求項１ないし３のいずれか１項に記載の情報処理装置。
【請求項５】
前記ファイルには、電子文書ファイル、画像ファイルが含まれる、請求項１ないし３のいずれか１項に記載の情報処理装置。
【請求項６】
電子メールを受信し、
該電子メールに含まれるメールアドレスを抽出し、
所定の操作が行われた場合、該メールアドレスを宛先として、ファイルを添付した電子メールを送信する、情報処理装置の情報処理方法。
【請求項７】
コンピュータに、
電子メールを受信させ、
該電子メールに含まれるメールアドレスを抽出させ、
所定の操作が行われた場合、該メールアドレスを宛先として、ファイルを添付した電子メールを送信させる処理を実行させる、プログラム。
【発明の詳細な説明】
【技術分野】
【０００１】
本発明は、通信システムに関する。
【背景技術】
【０００２】
液晶やプラズマ等のフラットパネルやプロジェクタを用いた40インチ〜60インチ程度のサイズの大型のディスプレイに、タッチパネルを搭載した、いわゆる「電子情報ボード」製品が市場に出ている。「電子情報ボード」はパソコン（ＰＣ）を接続することによって、接続したパソコンの画面を大きく映すことができる。このため、「電子情報ボード」は、企業や行政機関の会議におけるプレゼンテーション等や教育機関等で用いられる。
【０００３】
「電子情報ボード」にはタッチパネル機能が搭載され、タッチパネル機能を用いて、映されている画面にマウス操作の代わりに直接タッチすることで、画面を表示しているパソコンを操作することができる。換言すれば、タッチパネルを介して、パソコンを操作することができる。
【０００４】
さらに、「電子情報ボード」に接続したパソコン上で動作させるアプリケーション、いわゆる「黒板アプリケーション」がこれらの機器と一緒に提供される。黒板アプリケーションは、黒板の役割をする画面を提供する。黒板アプリケーションは、タッチパネルを介して、画面上に手書き文字等を描く機能、パソコンの画面を取り込んでその上に手書き文字等を重畳して描く機能等を提供する。
【０００５】
また、電子情報ボードで作成した、手書き文字等の入力された情報を配布する手段の一つとして電子メール送信機能が利用される。
【０００６】
電子メール送信機能を利用して、電子情報ボードから電子メールを送信する際には、事前に、宛先のメールアドレスが登録されている必要がある。また、宛先が登録されていない場合には、ソフトウェアキーボード等を利用して、新規に、宛先のメールアドレス等を登録する必要がある。
【０００７】
登録された宛先から選択された一つ以上の宛先に電子メールを送信する手段を備えた情報処理装置が知られている。
【０００８】
一度に複数の宛先が指定された電子メールを送受信する場合に、アドレス帳に信頼性の高い宛先情報を追加登録する技術が知られている（例えば、特許文献１参照）。
【発明の概要】
【発明が解決しようとする課題】
【０００９】
電子情報ボードを会議等で利用する場合には、議事録などを画像として、入力情報を配布する用途が考えられる。入力情報の配布は、会議時間の終了間際であることがほとんどである。このため、議事録などを配布する宛先情報としてメールアドレスの新規登録作業に手間が掛かるのは好ましくない。
【００１０】
そこで、本発明は、電子メールの宛先情報の登録を簡略化することを目的とする。
【課題を解決するための手段】
【００１１】
開示の情報処理装置は、
電子メールを受信する受信部と、
該受信部で受信した電子メールに含まれるメールアドレスを抽出するメールアドレス抽出部と、
所定の操作が行われた場合、該メールアドレス抽出部で抽出されたメールアドレスを宛先として、ファイルを添付した電子メールを送信する送信部と
を有する。
【発明の効果】
【００１２】
開示の実施例によれば、電子メールの宛先情報の登録を簡略化することができる。
【図面の簡単な説明】
【００１３】
【図１】画像処理システムの一実施例を示す図である。
【図２】画像処理装置の一実施例を示す図である。
【図３】表示画像の一実施例（その１）を示す図である。
【図４】表示画像の一実施例（その２）を示す図である。
【図５】表示画像の一実施例（その３）を示す図である。
【図６】表示画像の一実施例（その４）を示す図である。
【図７】アドレス帳のデータテーブルの一実施例を示す図である。
【図８】画像処理装置に送信する電子メールの一実施例を示す図である。
【図９】画像処理装置に送信する電子メールの一実施例を示す図である。
【図１０】画像処理装置から送信する電子メールの一実施例を示す図である。
【図１１】画像処理システムの動作を示すフローチャートである。
【発明を実施するための形態】
【００１４】
次に、本発明を実施するための形態を、以下の実施例に基づき図面を参照しつつ説明する。
【００１５】
なお、実施例を説明するための全図において、同一機能を有するものは同一符号を用い、繰り返しの説明は省略する。
【００１６】
＜実施例＞
＜画像処理システム＞
図１は、画像処理システム１００の一実施例を示す。
【００１７】
画像処理システム１００は、画像処理装置１１０と、ＰＣ１３０ａ、ＰＣ１３０ｂとを含んで構成される。画像処理装置１１０とＰＣ１３０ａ、ＰＣ１３０ｂとは、それぞれケーブル１２４、１２６によって接続される。画像処理装置１１０とＰＣ１３０ａ、ＰＣ１３０ｂとが無線接続されるようにしてもよい。
【００１８】
画像処理装置１１０には、電子情報ボードが含まれる。画像処理装置１１０は、ＰＣ１３０ａ、ＰＣ１３０ｂに表示された画像（以下、「表示画像」という）を表示する。また、画像処理装置１１０は、ユーザが描画することにより生成される画像（以下、「描画画像」という）を表示できる。
【００１９】
また、画像処理装置１１０は、表示部１１２に接触されたことによってイベントを発生する。画像処理装置１１０は、マウス、キーボード、ペンデバイス等の入力装置により発生するイベントをＰＣ１３０ａ、ＰＣ１３０ｂに送信する。
【００２０】
ＰＣ１３０ａ、ＰＣ１３０ｂは、画像処理装置１１０に表示画像を提供する。ＰＣ１３０ａ、ＰＣ１３０ｂは、画像信号を出力するインターフェースを備える。ＰＣ１３０ａ、ＰＣ１３０ｂは、ＰＣ１３０ａ、ＰＣ１３０ｂの表示画像を形成する画像信号を所定のレートで画像処理装置１１０に供給する。例えば、所定のレートは、毎秒３０フレーム程度が好ましい。
【００２１】
画像処理システムの一実施例では、ＰＣ１３０ａ、ＰＣ１３０ｂは、インターフェースとしてＶＧＡ(Video Graphics Array)出力端子（図示せず）を備える。ＰＣ１３０ａ、ＰＣ１３０ｂは、画像処理装置１１０に、ＶＧＡケーブル等のケーブル１２４を介して、画像処理装置１１０にＶＧＡ信号を送信する。ＰＣ１３０ａ、ＰＣ１３０ｂは、各種無線通信プロトコルに準拠した無線通信により、画像処理装置１１０に表示画像を形成する画像信号を送信してもよい。
【００２２】
また、ＰＣ１３０ａ、ＰＣ１３０ｂは、画像処理装置１１０の表示部１１２の表示画像を取得することができる。ＰＣ１３０ａ、ＰＣ１３０ｂは、ＵＳＢ(Universal Serial Bus)ポート（図示せず）を備える。ＰＣ１３０ａ、ＰＣ１３０ｂは、USB Mass Storage Class等の汎用ドライバを使用して、ＵＳＢケーブル１２６を介して接続された画像処理装置１１０に格納されている表示画像を取得することができる。
【００２３】
画像処理システムの一実施例では、ＰＣ１３０ａ、ＰＣ１３０ｂとしてノート型ＰＣを採用する。ＰＣ１３０ａ、ＰＣ１３０ｂとして、デスクトップ型ＰＣやタブレット型ＰＣ、ＰＤＡ(Personal Digital Assistants)、デジタルビデオカメラ、デジタルカメラ等の画像フレームを供給可能な情報処理端末を採用することができる。
【００２４】
画像処理システムの一実施例では、２台のＰＣ１３０ａ、ＰＣ１３０ｂを採用する。１台のＰＣ又は３台以上のＰＣを採用するようにしてもよい。
【００２５】
画像処理システム１００では、画像処理装置１１０は、複数の登録された宛先から選択された一又は複数の宛先に電子メールを送信する。また、複数の登録された宛先から選択された一又は複数の宛先に電子メールを送信する情報処理装置を有するようにしてもよい。情報処理装置は、画像処理装置１１０に搭載されるのが好ましい。画像処理システム１００に含まれる装置の数を少なくできるためである。画像処理装置１１０とは別に情報処理装置が用意されてもよい。
【００２６】
従来、会議中等に、表示部１１２に表示された手書き文字等の入力情報は、会議終了時にＰＤＦファイル等の電子文書ファイルや、画像ファイル等の形式に変換され、メール等の手段により関係者に議事録として配布されていた。例えば、電子メール本文にファイルを添付する等により配布される。この場合、宛先のメールアドレスが登録されている必要があった。
【００２７】
仮に、登録されていないメールアドレスを宛先として電子メールを送信する場合は、ソフトウェアキーボード等の入力手段を利用して、送信する前に、メールアドレスを登録する必要がある。
【００２８】
また、宛先のメールアドレスが登録されている場合でも、宛先リストから宛先を選択する必要がある。
【００２９】
しかし、会議等で電子情報ボードを利用する場合、会議室の利用時間が決まっていることが多い。このため、メールアドレスを登録する作業や、宛先リストから宛先を選択する作業を要する場合、利便性が大きく損なわれる。
【００３０】
画像処理システムの一実施例では、電子メールの宛先情報を登録する処理を簡略化する。
【００３１】
＜画像処理装置１１０＞
図２は、画像処理装置１１０の一実施例を示す。図２に示される例では、画像処理装置１１０に情報処理装置が搭載される。また、図２には、説明の便宜のため、ＰＣ１３０ａ、ＰＣ１３０ｂも示される。
【００３２】
図２には、主に画像処理装置１１０のハードウェア構成と、機能構成を示す。
【００３３】
画像処理装置１１０は、表示部１１２と、プロセッサ２００と、ＲＯＭ２０２と、ＲＡＭ２０４と、画像取得部２０６と、座標検出部２２４と、接触検知部２２６と、第１の記憶装置２３０と、第２の記憶装置２４１と、画像入力インターフェース２３２と、画像出力インターフェース２３４とを備える。
【００３４】
画像処理装置１１０と、ＰＣ１３０ａ及び１３０ｂとの間は、画像入力インターフェース２３２、画像出力インターフェース２３４を介して接続される。
【００３５】
画像入力インターフェース２３２は、ＰＣ１３０ａ及び１３０ｂの表示画像を形成する画像信号を受信するインターフェースである。画像処理装置１１０の一実施例では、画像入力インターフェース２３２としてＤＶＩ（Digital Visual Interface）端子で構成されるＤＶＩコネクタを採用することができる。画像入力インターフェース２３２は、ＰＣ１３０ａ及び１３０ｂからＶＧＡケーブル等のケーブル１２４を介してＶＧＡ信号を受信する。画像入力インターフェース２３２は、画像取得部２０６に、ＶＧＡ信号を供給する。
【００３６】
画像入力インターフェース２３２に、ＶＧＡ（Video Graphics Array）コネクタ、ＨＤＭＩ（High-Definition Multimedia Interface）コネクタ、Ｄｉｓｐｌａｙｐｏｒｔコネクタ等を採用することができる。
【００３７】
また、画像入力インターフェース２３２の代わりに、Ｂｌｕｅｔｏｏｔｈ（登録商標）、ＷｉＦｉ等の無線通信プロトコルに準拠した無線通信により、ＰＣ１３０ａ及び１３０ｂから画像信号を受信するようにしてもよい。
【００３８】
画像出力インターフェース２３４は、ＰＣ１３０ａ及び１３０ｂ等の外部装置に画像処理装置１１０の表示画像を出力する物理インターフェースである。
【００３９】
画像処理装置１１０の一実施例では、画像出力インターフェース２３４にＵＳＢソケットを採用することができる。
【００４０】
プロセッサ２００は、ＣＰＵやＭＰＵ等のコンピュータの演算処理装置である。演算処理装置は、ＷＩＮＤＯＷＳ（登録商標）シリーズ、ＵＮＩＸ（登録商標）、ＬＩＮＵＸ（登録商標）、ＴＲＯＮ、ＩＴＲＯＮ、μＩＴＲＯＮ、Ｃｈｒｏｍｅ、Ａｎｄｒｏｉｄ等のＯＳを動作させる。演算処理装置は、ＯＳの管理下でアセンブラ、Ｃ、Ｃ＋＋、Ｊａｖａ（登録商標）、ＪａｖａＳｃｒｉｐｔ（登録商標）、ＰＥＲＬ、ＲＵＢＹ、ＰＹＴＨＯＮ等のプログラム言語で記述されたプログラムを実行する。
【００４１】
ＲＯＭ２０２は不揮発性メモリであり、ＢＩＯＳ(Basic Input/Output System)等のブートプログラム等を保存する。ＲＯＭ２０２は、プロセッサ２００と接続される。
【００４２】
ＲＡＭ２０４は、ＤＲＡＭやＳＲＡＭ等の主記憶装置であり、プログラムを実行するための実行空間を提供する。ＲＡＭ２０４は、プロセッサ２００と接続される。
【００４３】
プロセッサ２００は、ソフトウェアプログラムや種々のデータ等を持続的に保持するためのハードディスク装置（図示せず）から、プログラムを読み出す。プロセッサ２００は、ＲＡＭ２０４に、読み出したプログラムを展開して実行する。
【００４４】
プログラムには、イベント処理部２１０としてプロセッサ２００を機能させるプログラムモジュールと、アプリ画像生成部２１２としてプロセッサ２００を機能させるプログラムモジュールとが含まれる。プログラムには、レイアウト管理部２１４としてプロセッサ２００を機能させるプログラムモジュールと、描画生成部２１６としてプロセッサ２００を機能させるプログラムモジュールとが含まれる。プログラムには、合成部２１８としてプロセッサ２００を機能させるプログラムモジュールと、表示制御部２２０としてプロセッサ２００を機能させるプログラムモジュールとが含まれる。プログラムには、スナップショット生成部２２２としてプロセッサ２００を機能させるプログラムモジュールと、リポジトリ管理部２２８としてプロセッサ２００を機能させるプログラムが含まれる。プログラムには、電子メール受付部２４２としてプロセッサ２００を機能させるプログラムモジュールと、メールアドレス抽出部２４４としてプロセッサ２００を機能させるプログラムが含まれる。プログラムには、電子メール送信部２４３としてプロセッサ２００を機能させるプログラムモジュールが含まれる。
【００４５】
画像取得部２０６は、画像入力インターフェース２３２と接続される。画像取得部２０６は、ＰＣ１３０ａ、ＰＣ１３０ｂからの画像信号を取得する。画像取得部２０６は、ＰＣ１３０ａ、ＰＣ１３０ｂから画像入力インターフェース２３２を介して入力される画像信号を取得する。画像取得部２０６は、画像入力インターフェース２３２からの画像信号を解析することにより、該画像信号により形成されるＰＣ１３０ａ、ＰＣ１３０ｂの表示画像の画像フレーム２０８の解像度、該画像フレーム２０８の更新頻度等の画像情報を導出する。画像取得部２０６は、アプリ画像生成部２１２へ、画像情報を入力する
また、画像取得部２０６は、画像入力インターフェース２３２からの画像信号を使用して、ＰＣ１３０ａ、ＰＣ１３０ｂの表示画像である画像フレームをそれぞれ形成する。画像取得部２０６は、ビデオＲＡＭ２０８を有する。ビデオＲＡＭ２０８は、画像データを一時的に保存可能な記憶手段である。ビデオＲＡＭ２０８には、ＰＣ１３０ａからの画像データを保存する第１の領域とＰＣ１３０ｂからの画像データを保存する第２の領域を有するのが好ましい。画像取得部２０６は、ビデオＲＡＭ２０８の第１の領域にＰＣ１３０ａからの画像データを上書き保存し、ビデオＲＡＭ２０８の第２の領域にＰＣ１３０ｂからの画像データを上書き保存する。
【００４６】
アプリ画像生成部２１２は、画像取得部２０６と接続される。アプリ画像生成部２１２は、表示部１１２に表示する種々の表示ウィンドウを生成する。表示ウィンドウには、ＰＣ１３０ａ及び１３０ｂの表示画像である画像フレームを表示する表示ウィンドウ、ユーザが生成する描画画像を表示する表示ウィンドウ等が含まれる。表示ウィンドウには、画像処理装置１１０の各種設定を行うためのボタンやメニュー等を表示する表示ウィンドウ、ファイルビューアやＷｅｂブラウザ等の表示ウィンドウ等が含まれる。アプリ画像生成部２１２は、表示ウィンドウを、該表示ウィンドウを描画する画像レイヤに描画する。
【００４７】
レイアウト管理部２１４は、アプリ画像生成部２１２、画像取得部２０６と接続される。レイアウト管理部２１４は、アプリ画像生成部２１２が生成する表示ウィンドウにＰＣ１３０ａ、ＰＣ１３０ｂの表示画像を描画する。レイアウト管理部２１４は、画像取得部２０６から、画像情報とビデオＲＡＭ２０８に格納されている画像フレームを取得する。レイアウト管理部２１４は、画像情報を使用して、アプリ画像生成部２１２が生成した表示ウィンドウの大きさに、画像フレームの大きさを適合するように変更し、該画像フレームを描画する画像レイヤに描画する。
【００４８】
接触検知部２２６は、描画装置２４０等の物体の接触を検知する。接触検知部２２６は、赤外線遮断方式により座標入力を検出するのが好ましい。接触検知部２２６は、２個の受発光装置を有するのが好ましい。２個の受発光装置は、表示部１１２の下側の両端部に設置されるのが好ましい。２個の受発光装置は、表示部１１２に平行して複数の赤外線を放射し、表示部１１２の周囲に設けられた反射部材によって同一光路上に反射する光を受光する。接触検知部２２６は、物体によって遮断された２個の受発光装置が放射した赤外線の識別情報を座標検出部２２４に通知する。
【００４９】
座標検出部２２４は、接触検知部２２６と接続される。座標検出部２２４は接触検知部２２６から通知された物体によって遮断された２個の受発光装置が放射した赤外線の識別情報に基づいて、物体の接触位置である座標位置を特定する。
【００５０】
接触検知部２２６に、静電容量の変化を検知することにより接触位置を特定する静電容量方式のタッチパネル、対向する２の抵抗膜の電圧変化によって接触位置を特定する抵抗膜方式のタッチパネル等の種々の検出手段を採用してもよい。また、接触検知部２２６に、接触物体が表示部に接触することによって生じる電磁誘導を検知して接触位置を特定する電磁誘導方式のタッチパネル等の種々の検出手段を採用してもよい。
【００５１】
また、座標検出部２２４は、物体が表示部１１２に接触した座標位置を算出すると共に、種々のイベントを発行する。座標検出部２２４は、接触検知部２２６が通知する遮断された赤外線の識別情報を利用して、物体の接触位置の座標位置を算出する。
【００５２】
また、座標検出部２２４は、接触位置の座標位置と共に、種々のイベントをイベント処理部２１０に発行する。座標検出部２２４が発行するイベントには、物体の接触または接近したことを通知するイベント（ＴＯＵＣＨ）、物体が表示部１１２に接触または接近した状態で接触点又は接近点が移動したことを通知するイベント（ＭＯＶＥ）、物体が表示部１１２から離れたことを通知するイベント（ＲＥＬＥＡＳＥ）が含まれる。これらのイベントには、接触位置座標及び接近位置座標である座標位置情報が含まれる。
【００５３】
描画装置２４０は、画像処理装置１１０の接触検知部２２６に接触させて描画する。描画装置２４０は、先端部に物体の接触を検知する物体接触検知部（図示せず）を備える。描画装置２４０はペン形状をしており、物体に物体接触検知部が接触すると、接触したことを示す接触信号を描画装置の識別情報と共に座標検出部２２４に送信する。
【００５４】
描画装置２４０は、側面や後端部等に画像処理装置操作モード又はＰＣ操作モードとの間で切り替えるモード切り替えスイッチ（図示せず）を備える。ここで、画像処理装置操作モードとは、表示部１１２にユーザが任意の図形や文字等を描画可能なモードである。画像処理装置操作モードでは、表示部１１２に表示されたメニューやボタン等のオブジェクトを選択可能である。ＰＣ操作モードとは、表示部１１２に表示されたメニューやボタン等のオブジェクトをユーザが選択可能なモードである。
【００５５】
例えば、ユーザがモード切り替えスイッチを押下した状態で、画像処理装置１１０に、描画装置２４０を接触させた場合には、描画装置２４０は、座標検出部２２４に、接触信号と該描画装置の識別情報と共に、ＰＣ操作モードを示すモード種別信号を送信する。
【００５６】
また、例えば、ユーザがモード切り替えスイッチを押下していない状態で、画像処理装置１１０に、描画装置２４０を接触させた場合には、描画装置２４０は、座標検出部２２４に、接触信号と該描画装置の識別情報と共に、画像処理装置操作モードを示すモード種別信号を送信する。
【００５７】
座標検出部２２４は、接触検知部２２６から赤外線の識別情報を受信すると、物体の接触位置である座標位置を算出する。座標検出部２２４は、描画装置２４０から接触信号を受信すると、各種イベントを発行する。座標検出部２２４は、各種イベントを発行する際に、モード種別を示す情報（以下、「モード種別情報」という）を該イベントと共にイベント処理部２１０に通知する。
【００５８】
座標検出部２２４は、描画装置２４０、接触検知部２２６から、Ｂｌｕｅｔｏｏｔｈ(登録商標)等の近距離無線通信によって送信された各種信号を受信するのが好ましい。また、描画装置２４０、接触検知部２２６から、超音波や赤外線を利用した無線通信によって送信された各種信号を受信することができる。
【００５９】
イベント処理部２１０は、座標検出部２２４と接続される。イベント処理部２１０は、座標検出部２２４が発行するイベントを処理する。ＰＣ操作モードが指定されている場合、イベント処理部２１０は、座標検出部２２４からイベントを受信すると、ＰＣ１３０ａ、ＰＣ１３０ｂにマウスイベントを送信する。マウスイベントとは、ＰＣ１３０ａ、ＰＣ１３０ｂのマウス等の入力装置が発行するイベントと同様のイベントである。ＰＣ操作モードが指定されている場合に、描画装置２４０による接触に起因してＰＣ１３０ａ、ＰＣ１３０ｂに発行される。イベント処理部２１０は、座標検出部２２４が発行したイベントに含まれる座標位置情報をＰＣ１３０ａ、ＰＣ１３０ｂの画面サイズに応じた座標位置情報に変換し、マウスイベントと共にＰＣ１３０ａ、ＰＣ１３０ｂに送信する。ＰＣ１３０ａ、ＰＣ１３０ｂは、マウスイベントをマウス等の入力装置が発行するイベントと同様に処理する。
【００６０】
また、画像処理装置操作モードが指定されている場合、イベント処理部２１０は、座標検出部２２４からイベントを受信すると、レイアウト管理部２１４、描画生成部２１６、スナップショット生成部２２２に描画指示イベント、選択通知イベントを通知する。
【００６１】
描画指示イベントとは、画像処理装置１１０に描画を指示するイベントである。描画指示イベントは、画像処理装置操作モードが指定されている場合に、表示部１１２に、描画装置２４０が接触することに起因して発行される。
【００６２】
選択通知イベントとは、表示部１１２の表示画面に含まれるボタンやメニューバー等の種々のオブジェクトが選択されたことを示すイベントである。
【００６３】
選択通知イベントは、画像処理装置操作モードが指定されている場合に、表示部１１２に、描画装置２４０が接触することに起因して発行される。イベント処理部２１０は、座標検出部２２４が発行したイベントに含まれる座標位置情報がオブジェクトの座標領域内であるときに選択通知イベントを発行する。
【００６４】
描画指示イベント、選択通知イベントには、それぞれ識別情報が割り当てられる。画像処理装置１１０は、識別情報を参照して種々の処理を実行する。また、選択通知イベントには、選択されたオブジェクトの識別情報が付加される。画像処理装置１１０は、オブジェクトの識別情報を参照して種々の処理を実行する。
【００６５】
描画生成部２１６は、イベント処理部２１０と接続される。描画生成部２１６は、描画装置２４０を用いてユーザの描画画像を生成する。描画生成部２１６は、座標位置情報が示す座標位置の色を特定の色に変更した画像レイヤを生成する。描画生成部２１６は、座標位置を描画情報としてＲＡＭ２０４の描画情報の格納領域に保存する。
【００６６】
合成部２１８は、アプリ画像生成部２１２と、レイアウト管理部２１４と、描画生成部２１６と接続される。合成部２１８は、種々の画像を合成する。
【００６７】
合成部２１８は、アプリ画像生成部２１２が画像を描画する画像レイヤ（以下、「アプリ画像レイヤ」という）と、ＰＣ１３０ａ、ＰＣ１３０ｂの表示画像をレイアウト管理部２１４が描画する画像レイヤ（以下、「画像キャプチャレイヤ」という）と、描画生成部２１６が画像を描画する画像レイヤ（以下、「手書きレイヤ」という）とを合成する。
【００６８】
表示制御部２２０は、合成部２１８、表示部１１２と接続される。表示制御部２２０は、表示部１１２を制御する。表示制御部２２０は、合成部２１８が生成した合成画像を表示部１１２に表示する。
【００６９】
合成部２１８は、表示制御部２２０を呼び出して合成画像を表示部１１２に表示する。合成部２１８、表示制御部２２０は、画像情報に含まれる画像フレームの更新頻度と略同一の頻度で、画像レイヤを合成して表示部１１２に表示してもよい。
【００７０】
スナップショット生成部２２２は、イベント処理部２１０と接続される。スナップショット生成部２２２は、ＰＣ１３０ａ、ＰＣ１３０ｂの表示画像と描画生成部２１６が生成した描画画像との合成画像であるスナップショット画像を生成する。
【００７１】
スナップショット生成部２２２は、表示部１１２に表示されたスナップショットの取得を指示するスナップショットボタン（図示せず）が選択されたことを示す選択通知イベントを受信すると、画像キャプチャレイヤと手書きレイヤとを合成し、スナップショット画像を生成する。
【００７２】
また、スナップショット生成部２２２は、ページ一覧内に表示されたスナップショットが選択されたことを示す選択通知イベントを受信すると、画像キャプチャレイヤと手書きレイヤとを合成し、スナップショット画像を生成する。
【００７３】
スナップショット生成部２２２は、リポジトリ管理部２２８にスナップショット画像を入力する。
【００７４】
リポジトリ管理部２２８は、スナップショット生成部２２２と接続される。リポジトリ管理部２２８は、スナップショット画像を格納する第１の記憶装置２３０を制御する。リポジトリ管理部２２８は、第１の記憶装置２３０にスナップショット生成部２２２からのスナップショット画像を保存する。
【００７５】
また、リポジトリ管理部２２８は、ＰＣ１３０ａ、ＰＣ１３０ｂからのスナップショット画像を要求する指示により、第１の記憶装置２３０からスナップショット画像を取得し、ユーザＰＣ１３０ａ、ＰＣ１３０ｂへ送信する。
【００７６】
受信部としての電子メール受付部２４２は、ユーザが送信した電子メールを受け付ける。電子メール受付部２４２は、メールアドレス抽出部２４４に、受け付けた電子メールを入力する。
【００７７】
メールアドレス抽出部２４４は、電子メール受付部２４２からの電子メールのヘッダからメールアドレスを抽出する。例えば、メールアドレス抽出部２４４は、送信者のメールアドレスを抽出する。抽出するメールアドレスは一つであってもよいし、複数であってもよい。また、メールアドレス抽出部２４４は、電子メール受付部２４２からの電子メールの本文から宛先情報を抽出する。例えば、メールアドレス抽出部２４４は、抽出したメールアドレスに対応する宛先情報を抽出する。メールアドレス抽出部２４４は、第２の記憶装置２４１へ、電子メールから抽出したメールアドレスと宛先情報とを対応付けて格納する。
【００７８】
第２の記憶装置２４１は、メールアドレス抽出部２４４からのメールアドレスを、宛先情報と関連付けて記録する。第２の記憶装置２４１は、開催される会議毎に、メールアドレスと宛先情報とを関連づけて記憶するのが好ましい。
【００７９】
電子メール送信部２４３は、電子メールを送信する。例えば、電子メール送信部２４３は、会議が終了した際に、該会議の出席者のメールアドレスを宛先にして電子メールを送信する。電子メールには、会議の際に作成された手書き文字等の入力情報を含む画像が添付されるのが好ましい。会議が終了したか否かは、画像処理装置１１０に対して所定の操作が行われたか否かにより判定されてもよい。
【００８０】
＜画像処理装置１１０の機能＞
表示部１１２の表示画像を参照して、画像処理装置１１０の機能について説明する。
【００８１】
図３は、表示画像の一実施例を示す。
【００８２】
表示部１１２には、表示画面３０２と、記録画像作成ボタン３０４と、記録画像一覧３０６と、電子メール送信ボタン３０８と、終了ボタン３１０が表示される。
【００８３】
表示画面３０２は、ＰＣ１３０ａ、ＰＣ１３０ｂからの出力映像を表示する。また、表示画面３０２には、ペンデバイス等を利用して手書き文字等の描画画像を入力できる。
【００８４】
記録画像作成ボタン３０４は、表示画面３０２に表示されるＰＣ１３０ａ、ＰＣ１３０ｂからの出力映像や該出力映像に入力される描画画像を記録画像として保存する際に押下げされる操作ボタンである。
【００８５】
記録画像一覧３０６は、記録画像作成ボタン３０４が押下げされることにより保存された記録画像を一覧表示する。記録画像作成ボタン３０４が押下げされた場合に、リポジトリ管理部２２８により、第１の記憶装置２３０に記録画像が格納される。記録画像一覧３０６は、第１の記憶装置２３０に格納された記録画像（キャプチャ画像）のサムネイル画像を作成し、表示する。サムネイル画像は、記録画像を示す機能と記録画像を選択するボタンの機能を兼ねる。ユーザにより所望のサムネイル画像が押下げされることにより、表示画面３０２に押下げされたサムネイル画像に対応する記録画像が表示される。例えば、会議資料が表示されたサムネイル画像が表示されている場合に、該サムネイル画像が押下げられることにより、表示画面３０２に、会議資料が表示される。
【００８６】
電子メール送信ボタン３０８は、電子メールを送信する際に押下げられるボタンである。例えば、電子メールの添付画像として、記録画像一覧３０６に表示されているサムネイル画像に対応する記録画像を送信することができる。電子メール送信ボタン３０８が押下げられることにより、メールアドレスを選択する画像が表示され、ユーザは電子メールを送信するメールアドレスを選択できる。記録画像一覧３０６に含まれるサムネイル画像に対応する記録画像を電子文書ファイル等に変換して、電子メールに添付することができる。
【００８７】
終了ボタン３１０は、アプリケーションの起動を終了する際に押下げされるボタンである。
【００８８】
図４は、表示画像の一実施例を示す。図４は、電子メールを送信する際の表示画面３０２を示す。
【００８９】
図３に示される表示画像の電子メール送信ボタン３０８が押下げられる。表示部１１２には、図４に示すように、電子メールを送信する設定を行うダイアログ（以下、「電子メール送信ダイアログ」という）が表示される。
【００９０】
電子メール送信ダイアログには、既に登録されているメールアドレスから受信者を選択するために表示される「アドレス帳から選択」タブと直接メールアドレスを入力するために表示される「直接入力」タブが含まれる。タブは一例であり、既に登録されているメールアドレスから受信者を選択することと直接メールアドレスを入力することを他の方法により選択できるようにしてもよい。
【００９１】
「アドレス帳から選択」タブが選択された場合、アドレス帳が表示される。ユーザはアドレス帳に含まれるメールアドレスから一又は複数のメールアドレスを選択できる。ユーザにより選択されたメールアドレスは、「受信者メールアドレス」欄に表示される。「受信者メールアドレス」欄にメールアドレスが表示されることにより「送信」ボタンを押下げできる。
【００９２】
「送信」ボタンが押下げされた場合、「受信者メールアドレス」欄に表示されたメールアドレスに、記録画像一覧ファイルが添付された電子メールが送信される。また、「キャンセル」ボタンが押下げされることにより、電子メールの送信に関する一連の動作をキャンセルすることもできる。
【００９３】
図５は、新規にメールアドレスを登録する際の表示画面を示す。
【００９４】
例えば、登録されていない宛先に電子メールを送信する場合には、新規にメールアドレスを登録する必要がある。
【００９５】
新規にメールアドレスを登録する場合は、図４に示される表示画面の「直接入力」タブを選択する。
【００９６】
「直接入力」タブが選択されることにより、宛先名称を入力する「宛先名称」ボタンとメールアドレスを入力する「メールアドレス」ボタンが表示される。
【００９７】
ユーザは「宛先名称」ボタンを押下げることにより宛先名称を入力できる。また、ユーザは「メールアドレス」ボタンを押下げることによりメールアドレスを入力できる。
【００９８】
入力には、ソフトウェアキーボード等を利用するのが好ましい。
【００９９】
図６は、宛先名称とメールアドレスを入力する際の表示画面を示す。例えば、ユーザにより「宛先名称」ボタンが押下げられることによりソフトウェアキーボードが表示される。これは、画像処理装置１１０には、入力デバイスとしてタッチペン等が利用されるため、キー入力ができないためである。
【０１００】
ソフトウェアキーボード等により入力された宛先とメールアドレスは、アドレス帳に追加されるとともに、受信者メールアドレスに追加される。
【０１０１】
「受信者メールアドレス」欄にメールアドレスが表示されることにより「送信」ボタンを押下げできる。
【０１０２】
「送信」ボタンが押下げされた場合、「受信者メールアドレス」欄に表示されたメールアドレスに、記録画像一覧ファイルが添付された電子メールが送信される。また、「キャンセル」ボタンが押下げされることにより、電子メールの送信に関する一連の動作をキャンセルすることもできる。
【０１０３】
図７は、アドレス帳のデータテーブルの一例を示す。
【０１０４】
メールアドレス抽出部２４４は、第２の記憶装置２４１にメールアドレスと宛先情報を関連付けて格納する。
【０１０５】
電子メール送信部２４３は、図４を参照して説明した電子メール送信ダイアログに、第２の記憶装置２４１に格納された宛先とメールアドレスを表示する。
【０１０６】
また、新規に登録されたメールアドレスは、宛先と関連付けられ、図７に示される形式で、第２の記憶装置２４１に格納される。
【０１０７】
図８は、画像処理システム１００の利用者から、画像処理装置１１０に送信する電子メールの一実施例を示す。
【０１０８】
画像処理システム１００の利用者は、画像処理装置１１０の有するメールアドレスに電子メールを送信する。図８に示される例では、画像処理装置１１０はメールアドレス「infomation_board@a.com」を有する。
【０１０９】
また、電子メールに、該画像処理装置１１０からの電子メールを受信する受信者のメールアドレスを含める。図８に示される例では、「CC:」（カーボンコピー）欄に、該画像処理装置１１０からの電子メールを受信する受信者のメールアドレス「1@a.com」、「2@a.com」、「3@a.com」が含められる。
【０１１０】
また、画像処理装置１１０は、ランダムな文字列等の固有情報を生成する固有情報生成部を有し、固有情報をパスコードとして表示部１１２に表示するようにしてもよい。パスコードは複数の桁数を有するのが好ましい。桁数が多いほどセキュリティ強度を向上できる。画像処理装置１１０は、起動の度に、新たにパスコードを生成するのが好ましい。利用者は、電子メールの本文や「件名」欄に、パスコードを含めて送信することができる。
【０１１１】
図9は、画像処理システム１００の利用者から、画像処理装置１１０に送信する電子メールの一実施例を示す。図9に示される例では、図8に示される電子メールに、「件名」欄にパスコード「４０１２」が記載される。
【０１１２】
画像処理装置１１０は、パスコードにより、電子メールの受信を制限することができる。この場合、利用者は、送信メールに、画像処理装置１１０がランダムで生成するパスコードを記述する。例えば、利用者は、特定の文字列等を使用して指定することができる。図9に示される例では、「passcode:XXXX」等（XXXXには、画像処理装置１１０の表示部１１２に表示されているパスコードを記述）により指定される。このようにすることにより、画像処理装置１１０は、利用者から送信された電子メールに含まれるパスコードを特定できる。
【０１１３】
画像処理装置１１０は、パスコードを含まない電子メールの受信を制限する。このようにすることにより、例えば会議に参加していない者が電子メールを送信することにより、その返信として送信された電子メールに添付されたファイルにより議事録が取得されることを防止でき、セキュリティを向上できる。パスコードは、会議の参加者しか知ることができないためである。
【０１１４】
電子メールは、電子メール受付部２４２により受け付けられる。電子メール受付部２４２は、受け付けた電子メールの中から、生成したパスコードと一致するパスコードを含む電子メールを、メールアドレス抽出部２４４に入力する。
【０１１５】
メールアドレス抽出部２４４は、電子メール受付部２４２からの電子メールの「cc：」欄のメールアドレスを抽出する。メールアドレス抽出部２４４は、第２の記憶装置２４１へ、電子メールから抽出したメールアドレスを格納する。
【０１１６】
図１０は、画像処理装置１１０から、利用者に送信する返信メールの一実施例を示す。電子メール送信部２４３は、利用者により終了操作が実行されたタイミングで、第２の記憶装置２４１に格納されたメールアドレスを宛先として、記録画像が添付された電子メールを送信する。図１０に示される例では、「議事録．ｐｄｆ」が添付された電子メールが送信される。
【０１１７】
＜画像処理システムの動作＞
図１１は、画像処理システムの動作の一実施例を示す。図１１には、主に画像処理装置１１０の動作を示す。
【０１１８】
図１１に示されるフローチャートでは、電子メールを受信してから、利用者に記録画像を添付した電子メールを配布するまで処理を示す。
【０１１９】
ステップＳ１１０２では、画像処理装置１１０は、電子メールを受信する。つまり、電子メール受付部２４２に電子メールが受け付けられる。パスコードが設定されている場合には、電子メール受付部２４２は、設定されているパスコードを含む電子メールを受け付けるようにしてもよい。換言すれば、設定されているパスコードを含まない電子メールは受け付けない。
【０１２０】
ステップＳ１１０４では、画像処理装置１１０は、電子メールから、メールアドレスを抽出する。つまり、メールアドレス抽出部２４４は、電子メールの「CC:」欄のメールアドレスを抽出する。
【０１２１】
ステップＳ１１０６では、画像処理装置１１０は、アドレス帳に、ステップＳ１１０４で抽出した全てのメールアドレスが含まれるか否かを判定する。例えば、メールアドレス抽出部２４４は、図７を参照して説明したアドレス帳に、ステップＳ１１０４で抽出した全てのメールアドレスが含まれるか否かにより判定するのが好ましい。
【０１２２】
ステップＳ１１０８では、ステップＳ１１０６で、アドレス帳にステップＳ１１０４で抽出した全てのメールアドレスは含まれないと判定した場合、画像処理装置１１０は、アドレス帳に、ステップＳ１１０６でアドレス帳に含まれないと判定されたメールアドレスを新規に登録する。例えば、メールアドレス抽出部２４４は、図７を参照して説明したアドレス帳に、ステップＳ１１０６でアドレス帳に含まれないと判定されたメールアドレスを宛先名称とともに登録するのが好ましい。
【０１２３】
ステップＳ１１１０では、ステップ１１０６で、アドレス帳にステップＳ１１０４で抽出した全てのメールアドレスが含まれると判定された場合、又はステップ１１０８で、アドレス帳に含まれないと判定されたメールアドレスを新規に登録した後、画像処理装置１１０は、利用者により終了操作が実行されるまで待機する。終了操作が実行されるまで待機することにより、画像処理装置１１０の利用が終了した時点での記録画像を取得できる。画像処理装置１１０の利用が終了した時点での記録画像を添付した電子メールを送信できるため、記録画像を議事録として扱いたい利用者への利便性を高めることができる。
【０１２４】
ステップＳ１１１０では、画像処理装置１１０は、終了操作が実行されたか否かを判定する。つまり、電子メール送信部２４３は、利用者により終了ボタン３１０が押し下げされたか否かを判定する。終了操作が実行されないと判定された場合、ステップＳ１１１０へ戻る。
【０１２５】
ステップＳ１１１４では、ステップＳ１１１２で終了操作が実行されたと判定された場合、画像処理装置１１０は、ステップＳ１１０４で抽出されたメールアドレスを宛先にして、記録画像を添付した電子メールを送信する。
【０１２６】
画像処理システムの一実施例によれば、利用者は、事前に、画像処理装置に電子メールを送信する。画像処理装置は、受信した電子メールの本文、ヘッダ情報に基づき、宛先として登録されていないアドレスを、宛先名称と関連付けてアドレス帳に新規登録できる。また、画像処理装置は、電子メールからメールアドレスを抽出し、画像処理システムの利用が終了した後に、記録画像を添付した電子メールを送信する。利用者は、電子メールに添付された記録画像を受け取ることができる。
【０１２７】
つまり、従来行う必要があった「登録されていないアドレスの新規登録」、「登録されたアドレスから送信先の選択」、「メールの送信操作」の３つのステップを、画像処理システムの一実施例では「画像処理装置への電子メールの送信」という１つのステップに簡略化することができる。このため、会議等で、画像処理装置の利用時間が限られ、且つ終了間際となっても、迅速に議事録を送信することができる。
【０１２８】
また、会議中であれば、利用者が電子メールをどのタイミング送信しても対応できる。画像処理装置の終了操作を検知したタイミングで、電子メールから抽出されたメールアドレスに対して、電子メールを送信できるためである。このため、画像処理装置の利用時間に限りがある場合でも迅速に議事録を送信することができるため、利便性を向上できる。
【０１２９】
本発明は特定の実施例を参照しながら説明されてきたが、各実施例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１３０】
１００  画像処理システム
１１０  画像処理装置
１３０ａ、１３０ｂ  ＰＣ
【先行技術文献】
【特許文献】
【０１３１】
【特許文献１】特開２００７−０５２６０４号公報
【図１】
2014106843.tif 000003
【図２】
2014106843.tif 000004
【図３】
2014106843.tif 000005
【図４】
2014106843.tif 000006
【図５】
2014106843.tif 000007
【図６】
2014106843.tif 000008
【図７】
2014106843.tif 000009
【図８】
2014106843.tif 000010
【図９】
2014106843.tif 000011
【図１０】
2014106843.tif 000012
【図１１】
2014106843.tif 000013